(57)【要約】【課題】海苔乾燥装置の２基の搬出コンベヤから搬出された乾海苔を重ならないように１基の搬送コンベアで搬送することができる乾海苔搬送方法及び乾海苔搬送装置を提供する。【解決手段】海苔乾燥装置１から複数枚の乾海苔を同時に搬出する動作を間欠的に行う、第１の搬出コンベヤ２ａの乾海苔群を受け渡す受渡し装置８を介して直角方向に連続駆動する１基の搬送コンベヤ３が配置され、第２の搬出コンベヤ２ｂの乾海苔群を受け渡す受渡し装置９を介して待機コンベヤ４が搬送コンベヤ３の上方に配置されるとともに、待機コンベヤ４の搬出口は搬出コンベヤ２ａの搬出口より下流側で乾海苔を搬送コンベヤ３へ搬出させる位置に設けられ、待機コンベヤ４は搬出コンベヤ２ｂから搬出される乾海苔群を受渡し装置９を介して待機コンベヤ４で受け取った後に搬送コンベヤ３の合流点前で停止して待機し、搬出コンベヤ２ａから搬出される乾海苔群の最後尾が搬送コンベヤ３の合流点を通過後に駆動して乾海苔群を搬送コンベヤ３へ搬出する。【選択図】図１
2005239425.tif 000002
【特許請求の範囲】
【請求項１】
海苔乾燥装置の第１の搬出コンベヤ及び第２の搬出コンベヤから同時に複数枚且つ同数枚の乾海苔群が間欠的に搬出される乾海苔を搬出コンベヤと直角方向に配置された連続駆動する１基の搬送コンベヤで搬送する乾海苔搬送方法において、
第１の搬出コンベヤから搬出される乾海苔群を受渡し装置を介して受け取って搬送コンベヤで連続的に搬送するとともに、第２の搬出コンベヤから搬出される乾海苔群を受渡し装置を介して待機コンベヤで受け取った後に搬送コンベヤの合流点前で停止して待機し、第１の搬出コンベヤから搬出される乾海苔群の最後尾が搬送コンベヤの合流点を通過後に待機コンベヤを駆動して乾海苔群を搬送コンベヤへ搬出して合流させることを特徴とする乾海苔搬送方法。
【請求項２】
搬出コンベヤ、搬送コンベヤ及び待機コンベヤの速度を、
Ｔ０＞Ｌ１Ｂ／ＶＢ＋Ｌ１Ｃ／ＶＣ
とし、
待機コンベヤの停止時間Ｔ４０を
Ｔ４０＝Ｔ２＋ＬＩＣ／ＶＣ
で停止させ、停止後の再始動時間Ｔ４を
Ｔ４＝（Ｔ１−Ｔ２）＋{（Ｌ１Ｂ−Ｌ０）／ＶＢ＋Ｌ１Ｂ／ＶＢ−Ｌ１Ｃ／ＶＣ}
ただし、
第１及び第２の搬出コンベヤの作動−停止のサイクルタイム：Ｔ０
搬送コンベヤの受渡し装置の通過時間：Ｔ１
待機コンベヤの受渡し装置の通過時間をＴ２
搬送コンベヤの速度：ＶＢ
待機コンベヤの速度：ＶＣ
搬送コンベヤで搬送する距離：Ｌ１Ｂ
待機コンベヤで搬送する距離：Ｌ１Ｃ
第１の搬出コンベヤと第２の搬出コンベヤの間隔：Ｌ０
とすることを特徴とする請求項１記載の乾海苔搬送方法。
【請求項３】
待機コンベヤで受け取った乾海苔群の先頭の乾海苔を搬送コンベヤの合流点前でセンサにて検知して待機コンベヤを停止させて待機させ、第１の搬出コンベヤから搬出される乾海苔群の最後尾が搬送コンベヤの合流点を通過後に待機コンベヤを駆動させることを特徴とする請求項１又は２記載の乾海苔搬送方法。
【請求項４】
第１の搬出コンベヤから搬出される乾海苔群の最後尾の乾海苔を搬送コンベヤの合流点を通過後にセンサにて検知して待機コンベヤを駆動させることを特徴とする請求項１、２又は３記載の乾海苔搬送方法。
【請求項５】
海苔乾燥装置から複数枚の乾海苔を同時に搬出する動作を間欠的に行う２基の搬出コンベヤのうち、第１の搬出コンベヤから搬出される乾海苔群を受け渡す受渡し装置を介して直角方向に連続駆動する１基の搬送コンベヤが配置され、第２の搬出コンベヤから搬出される乾海苔群を受け渡す受渡し装置を介して待機コンベヤが搬送コンベヤの上方に配置されるとともに、待機コンベヤの搬出口は第１の搬出コンベヤの搬出口より下流側で乾海苔を搬送コンベヤへ搬出させる位置に設けられ、さらに待機コンベヤは第２の搬出コンベヤから搬出される乾海苔群を受渡し装置を介して待機コンベヤで受け取った後に搬送コンベヤの合流点前で停止して待機し、第１の搬出コンベヤから搬出される乾海苔群の最後尾が搬送コンベヤの合流点を通過後に駆動して乾海苔群を搬送コンベヤへ搬出することを特徴とする乾海苔搬送装置。
【請求項６】
搬出コンベヤ、搬送コンベヤ及び待機コンベヤの速度を、
Ｔ０＞Ｌ１Ｂ／ＶＢ＋Ｌ１Ｃ／ＶＣ
とし、
待機コンベヤの停止時間Ｔ４０を
Ｔ４０＝Ｔ２＋Ｌ１Ｃ／ＶＣ
で停止させ、停止後の再始動時間Ｔ４を
Ｔ４＝（Ｔ１−Ｔ２）＋{（Ｌ１Ｂ−Ｌ０）／ＶＢ＋Ｌ１Ｂ／ＶＢ−Ｌ１Ｃ／ＶＣ}
ただし、
第１及び第２の搬出コンベヤの作動−停止のサイクルタイム：Ｔ０
搬送コンベヤの受渡し装置の通過時間：Ｔ１
待機コンベヤの受渡し装置の通過時間をＴ２
搬送コンベヤの速度：ＶＢ
待機コンベヤの速度：ＶＣ
搬送コンベヤで搬送する距離：Ｌ１Ｂ
待機コンベヤで搬送する距離：Ｌ１Ｃ
第１の搬出コンベヤと第２の搬出コンベヤの間隔：Ｌ０
で駆動されることを特徴とする請求項５記載の乾海苔搬送装置。
【請求項７】
搬送コンベヤの合流点前に、待機コンベヤで受け取った乾海苔群の先頭の乾海苔を検知し待機コンベヤを停止させて待機させるセンサを配置したことを特徴とする請求項５又は６記載の乾海苔搬送装置。
【請求項８】
搬送コンベヤの合流点の通過位置に、第１の搬出コンベヤから搬出される乾海苔群の最後尾の乾海苔を検知して待機コンベヤを始動させるセンサを配置したことを特徴とする請求項５、６又は７記載の乾海苔搬送装置。
【発明の詳細な説明】
【技術分野】
【０００１】
本発明は、海苔乾燥装置の二つの搬出コンベヤから搬出される乾海苔を１基の搬送コンベヤに移し換えて搬送可能とした乾海苔搬送方法及び乾海苔搬送装置に関する。
【背景技術】
【０００２】
海苔製造ラインでは、生海苔と水とを混合して所定の大きさ及び重量に抄き、海苔乾燥装置で乾燥し、乾海苔が海苔乾燥装置の搬出コンベヤから１枚づつ搬出され、搬出された乾海苔は搬送コンベヤで乾海苔処理ラインの検査工程、折畳工程、結束工程へ搬送される（特許文献１参照）。
【０００３】
近年、海苔乾燥装置から乾海苔を搬出する方式として、海苔乾燥装置での海苔の乾燥量を従来よりも倍増させて、乾海苔を２基の搬出コンベヤにより搬出させる海苔乾燥装置が利用されている。
【０００４】
図５は従来の２基の搬出コンベヤにより乾海苔が搬出される海苔生産ラインを示す模式図である。海苔乾燥装置１に平行に配置された２基の搬出コンベヤ２ａ，２ｂからはそれぞれ乾燥された複数枚の乾海苔が同時に搬出され、この搬出が間欠的に行われる。各搬出コンベヤ２ａ，２ｂの搬出口には直角方向にそれぞれ搬送コンベヤ３，３が配置されている。各搬出コンベヤ２ａ，２ｂから搬出された乾海苔はそれぞれの搬送コンベヤ３，３で、乾海苔処理ラインの検査機５、折曲機６、結束機７へと順次搬送されて海苔束が搬出される。
【特許文献１】特開昭６１−１７３７６９号公報
【発明の開示】
【発明が解決しようとする課題】
【０００５】
従来の２基の搬出コンベヤを備えた海苔乾燥装置の場合、乾海苔の乾燥量は増加するが、搬出コンベヤごとに搬送コンベヤを接続して検査装置などの各種装置を配置した乾海苔処理ラインを配置するために２列の乾海苔処理ラインが必要となるので、占有面積が大きくなり且つ設備費が高くなり、その結果、生産者の負担が増大するという問題がある。
【０００６】
そこで、海苔乾燥装置の２基の搬出コンベヤから搬出された乾海苔を１列の乾海苔処理ラインで処理することが望まれている。そのためには、２基の搬出コンベヤと１基の搬送コンベヤを接続させる必要があるが、次の課題がある。
【０００７】
図６は２基の搬出コンベヤ２ａ，２ｂと１基の搬送コンベヤ３を接続して乾海苔を搬送する場合を想定した状態を示す図である。
【０００８】
図６において、２基の搬出コンベヤ２ａ，２ｂから１基の搬送コンベヤ３への乾海苔の搬出を想定した場合、第１の搬出コンベヤ２ａから海苔束分（通常１０枚）を連続駆動している搬送コンベヤ３へ搬出するとともに、第２の搬出コンベヤ２ｂから海苔束分を搬送コンベヤへ搬出することになる。その場合、例えば、第１の搬出コンベヤ２ａと第２の搬出コンベヤ２ｂとの間の距離Ｌ０が搬出コンベヤに並べられた海苔束分（通常１０枚）の先頭から最後尾までの距離Ｌ１以上の長さであれば、搬送コンベヤ３では、第１の搬出コンベヤ２ａから排出された最後尾の乾海苔が排出された後に第２の搬出コンベヤ２ｂから排出された先頭の乾海苔が第１の搬出コンベヤの前に到着するので、第１の搬出コンベヤから排出される乾海苔が、第２の搬出コンベヤから排出されて搬送されてきた乾海苔に重なることはない。
【０００９】
しかしながら、第１の搬出コンベヤ２ａと第２の搬出コンベヤ２ｂとの間の距離Ｌ０は乾燥装置の構造上、搬出コンベヤ３に並べられた海苔束分（通常１０枚）の先頭から最後尾までの距離Ｌ１より短いので、連続駆動している搬送コンベヤ３に２基の搬出コンベヤから同時に乾海苔が搬出されると、第１の搬出コンベヤ２ａから排出される最後尾の乾海苔が搬出される前に第２の搬出コンベヤ２ｂから搬出されて搬送されてきた乾海苔が、第１の搬出コンベヤ２ａの前に到達するため、第１の搬出コンベヤ２ａから搬出される乾海苔が第２の搬出コンベヤ２ｂから排出されて搬送されてきた乾海苔に重なってしまう。乾海苔が重なってしまうと、後工程の検査工程では重なった乾海苔１枚１枚の形状や異物の検査不能が起こり、その結果、乾海苔処理工程が混乱する事態となる。
【００１０】
そこで、本発明は、海苔乾燥装置の２基の搬出コンベヤから搬出された乾海苔を重ならないように１基の搬送コンベヤで搬送することができる乾海苔搬送方法及び乾海苔搬送装置を提供するものである。
【課題を解決するための手段】
【００１１】
本発明の乾海苔搬送方法は、海苔乾燥装置の第１の搬出コンベヤ及び第２の搬出コンベヤから同時に複数枚且つ同数枚の乾海苔群が間欠的に搬出される乾海苔を搬出コンベヤと直角方向に配置された連続駆動する１基の搬送コンベヤで搬送する乾海苔搬送方法において、第１の搬出コンベヤから搬出される乾海苔群を受渡し装置を介して受け取って搬送コンベヤで連続的に搬送するとともに、第２の搬出コンベヤから搬出される乾海苔群を受渡し装置を介して待機コンベヤで受け取った後に搬送コンベヤの合流点前で停止して待機し、第１の搬出コンベヤから搬出される乾海苔群の最後尾が搬送コンベヤの合流点を通過後に待機コンベヤを駆動して乾海苔群を搬送コンベヤへ搬出して合流させることを特徴とする。
【００１２】
また、本発明の乾海苔搬送装置は、海苔乾燥装置から複数枚の乾海苔を同時に搬出する動作を間欠的に行う２基の搬出コンベヤのうち、第１の搬出コンベヤから搬出される乾海苔群を受け渡す受渡し装置を介して直角方向に連続駆動する１基の搬送コンベヤが配置され、第２の搬出コンベヤから搬出される乾海苔群を受け渡す受渡し装置を介して待機コンベヤが搬送コンベヤの上方に配置されるとともに、待機コンベヤの搬出口は第１の搬出コンベヤの搬出口より下流側で乾海苔を搬送コンベヤへ搬出させる位置に設けられ、さらに待機コンベヤは第２の搬出コンベヤから搬出される乾海苔群を受渡し装置を介して待機コンベヤで受け取った後に搬送コンベヤの合流点前で停止して待機し、第１の搬出コンベヤから搬出される乾海苔群の最後尾が搬送コンベヤの合流点を通過後に駆動して乾海苔群を搬送コンベヤへ搬出することを特徴とする。
【発明の効果】
【００１３】
本発明は、乾燥装置の２基の搬出コンベヤから搬出される乾海苔を１基の搬送コンベヤで乾海苔を重ならないように１列の乾海苔処理ラインに搬送して処理できるために２列の乾海苔処理ラインを必要としないので、従来のように占有面積が大きくなり且つ設備費が高くなり、その結果、生産者の負担が増大するという問題を解決することができる。
【発明を実施するための最良の形態】
【００１４】
図１（ａ）は本発明の乾海苔搬送装置を組み込んだ海苔生産ラインを示す模式図、（ｂ）は海苔乾燥装置の２基の搬出コンベヤと搬送コンベヤの接続部分の模式図である。図１において、待機コンベヤ４と搬送コンベヤ３とは説明のために並列に図示されているが、実際は後述するとおり待機コンベヤ４は搬送コンベヤ３の上に同列に間隔をおいて平行に配置された２段の構造に形成されている。
【００１５】
図１（ａ）において、海苔乾燥装置１は、第１の搬出コンベヤ２ａ、第２の搬出コンベヤ２ｂを備え、搬出コンベヤ２ａ，２ｂは乾海苔を搬出する際には連続駆動し、所定数枚の乾海苔を搬出し終えた後は停止し、所定時間後搬出のために再び連続駆動する、連続駆動と停止とを一定のサイクルタイムで繰り返す間欠駆動である。第１搬出コンベヤ２ａ，第２搬出コンベヤ２ｂは複数枚且つ同数枚の乾海苔を同時に搬出する。
【００１６】
第１の搬出コンベヤ２ａの搬出口には、搬出された乾海苔を受け取って乾海苔処理ラインへ搬送する連続駆動の搬送コンベヤ３が搬出コンベヤ２ａと直角方向に配置されて接続されている。
【００１７】
第２の搬出コンベヤ２ｂの搬出口には搬出された乾海苔を受け取って搬送する待機コンベヤ４が搬出コンベヤ２ｂと直角方向に配置され、待機コンベヤ４の搬出口は搬送コンベヤ３に合流するように接続されている。待機コンベヤ４は、第２の搬出コンベヤ２ｂから搬出された所定の複数枚の乾海苔が並べられる長さとする。また、第２の搬出コンベヤ２ｂのサイクルタイムにあわせて、停止、連続駆動を間欠的に繰り返す。
【００１８】
乾海苔処理ラインには異物などを検査する検査機５、重ねた１０枚の乾海苔を折り曲げて乾海苔束にする折曲機６、所定数の乾海苔束をテープで結束する結束機７が配置されている。
【００１９】
図１（ｂ）において、第１の搬出コンベヤ２ａと搬送コンベヤ３の間には、第１の搬出コンベヤ２ａから搬送コンベヤ３へ乾海苔を受け渡す第１の受け渡し装置８が配置され、また、第２の搬出コンベヤ２ｂと待機コンベヤ４の間には、第２の搬出コンベヤ２ｂから待機コンベヤ４へ乾海苔を受け渡す第２の受け渡し装置９が配置されている。
【００２０】
図２（ａ）は本発明の乾海苔搬送装置の平面図、（ｂ）は正面図である。乾燥装置１の第１の搬出コンベヤ２ａの搬出口に、第１の搬出コンベヤ２ａの直角方向に第１の受け渡し装置８を介して搬送コンベヤ３が配置されている。また、第２の搬出コンベヤ２ｂについてはその搬出口に、第２の搬出コンベヤ２ｂの直角方向に第２の受け渡し装置９を介して待機コンベヤ４が配置されている。待機コンベヤ４は搬送コンベヤ３の上方に同列に配置されるとともに、待機コンベヤ４の搬出口は第１の搬出コンベヤ２ａの搬出口より下流側へ乾海苔を搬送コンベヤ３へ搬出させて合流するように構成されている。
【００２１】
第１の受け渡し装置８は、搬出コンベヤ２ａから搬出された乾海苔を受け取るベルトコンベヤ８ａとベルトコンベヤ８ａで搬送された乾海苔をベルトとドラム８ｂで挟持した状態で取り込んで反転させる。また、第２の受け渡し装置９は、搬出コンベヤ２ｂから搬出された乾海苔を受け取るベルトコンベヤ９ａとベルトコンベヤ９ａで搬送された乾海苔を、待機コンベヤ４が搬送コンベヤ３より上方に配置されているので、エレベータ９ｃのベルト間に挟持して待機コンベヤ４のレベルまで上昇させてベルトとドラム９ｂで挟持した状態で取り込んで反転させる。いずれの受け渡し装置８，９も反転機には乾海苔の搬送に使用されている公知の海苔反転機を使用すればよい。
【００２２】
上記構成において、連続駆動する２基の搬出コンベヤ２ａ，２ｂからそれぞれの受渡装置８，９に同時に所定枚数の乾海苔が搬出される。第１の搬出コンベヤ２ａから搬出された乾海苔は連続駆動する搬送コンベヤ３で搬送され、一方、第２の搬出コンベヤ２ｂから搬出された乾海苔は連続駆動する待機コンベヤ４へ移し換えられ、所定枚数並べられると停止する。搬出コンベヤ２ａ，２ｂは所定枚数の乾海苔が搬出されると停止する。
【００２３】
搬送コンベヤ３で搬送されている第１の搬出コンベヤ２ａから搬出された最後尾の乾海苔が合流点を通過した後、停止していた待機コンベヤ４が駆動して第２の搬出コンベヤ２ｂから搬出された乾海苔の先頭の乾海苔を搬送コンベヤ３に移し換えて合流させて搬送する。
【実施例１】
【００２４】
図３は、搬送される乾海苔が重ならないための条件についての説明図である。
【００２５】
２基の搬出コンベヤ２ａ，２ｂから搬出されて搬送コンベヤ３で搬送される乾海苔が搬送コンベヤ３の合流地点Ｘで重ならないための条件は、待機コンベヤ４の先頭の乾海苔Ｎ２が搬送コンベヤ３に搬出される以前に、搬送コンベヤの最後尾の乾海苔Ｎ１が通過しておけば重なることはない。
【００２６】
２基の搬出コンベヤ２ａ，２ｂは、海苔乾燥機内部で乾燥された乾海苔を搬出コンベヤ２ａ，２ｂで搬出後は一旦停止し、所定時間後作動するサイクルを繰り返す。作動−停止のサイクルタイムは乾燥装置独自に設定されている。
【００２７】
搬出コンベヤと搬送コンベヤと待機コンベヤのタイミングの関係は次のとおりである。
【００２８】
受け渡し装置８，９及び搬送コンベヤ３は連続駆動し、搬出コンベヤ２ａ，２ｂの作動開始を０点として、
搬出コンベヤ２ａの作動−停止のサイクルタイム：Ｔ０
コンベヤ受渡し装置８の通過時間：Ｔ１
搬出コンベヤ２ａの速度＝搬出コンベヤ２ｂの速度：ＶＡ
搬送コンベヤの速度：ＶＢ
待機コンベヤの速度：ＶＣ
搬送コンベヤで搬送する距離：Ｌ１Ｂ
待機コンベヤで搬送する距離：Ｌ１Ｃ
所定枚数の乾海苔の先頭から最後尾までの距離：Ｌ１
第１の搬出コンベヤと第２の搬出コンベヤの間隔：Ｌ０
搬出コンベヤ２ａから搬出された乾海苔群（通常１０枚）：Ｎ１
搬出コンベヤ２ｂから搬出された乾海苔群（通常１０枚）：Ｎ２
とする。
【００２９】
合流地点Ｘでの搬出コンベヤ２ａから搬出された乾海苔群Ｎ１の最後尾の乾海苔の通過時間Ｔ１０は、
Ｔ１０＝Ｔ１＋（Ｌ１Ｂ−Ｌ０）／ＶＢ＋Ｌ１Ｂ／ＶＢ
となる。
【００３０】
通過後、すぐに搬出コンベヤ２ｂから搬出された乾海苔Ｎ２が待機コンベヤ４から搬出されて搬送コンベヤ３で合流すれば、合流地点Ｘにおける乾海苔群Ｎ２の最後尾の乾海苔の通過時間Ｔ２０は、
Ｔ２０＝Ｔ１０＋Ｌ１Ｃ／ＶＣ
＝Ｔ１＋（Ｌ１Ｂ−Ｌ０）／ＶＢ＋Ｌ１Ｂ／ＶＢ＋Ｌ１Ｃ／ＶＣ
合流地点Ｘにおける搬送コンベヤ２ａの２回目の乾海苔群Ｎ１の先頭の乾海苔の到達時間Ｔ３は、
Ｔ３＝Ｔ０＋Ｔ１＋（Ｌ１Ｂ−Ｌ０）／ＶＢ
となり、ここで、
Ｔ３＞Ｔ２０であるから、
Ｔ０＋Ｔ１＋（Ｌ１Ｂ−Ｌ０）／ＶＢ＞Ｔ１＋（Ｌ１Ｂ−Ｌ０）／ＶＢ＋Ｌ１Ｂ／ＶＢ
＋Ｌ１Ｃ／ＶＣ
となり、共通項Ｔ１及び（Ｌ１Ｂ−Ｌ０）／ＶＢを減じて整理すると、
Ｔ０＞Ｌ１Ｂ／ＶＢ＋Ｌ１Ｃ／ＶＣ
となる。
【００３１】
したがって、搬送コンベヤと待機コンベヤの速度を、Ｔ０＞Ｌ１Ｂ／ＶＢ＋Ｌ１Ｃ／ＶＣとすることによって乾海苔が重ならないで搬送される。なお、乾海苔は１枚＝約３ｇと軽く、搬送速度を上げると乾海苔が舞い上がるので、速度の上限は１ｍ／秒とする。
【００３２】
次に、待機コンベヤ４の条件は、コンベヤ受渡し装置９の通過時間をＴ２として、搬送コンベヤ３の合流地点Ｘで搬出コンベヤ２ａで搬出された乾海苔群Ｎ１の最後尾の通過を待って、搬出コンベヤ２ｂで搬出された乾海苔群Ｎ２を搬送コンベヤ３に合流させるために、待機コンベヤ４の搬出口に乾海苔Ｎ２の先頭が到着する時間Ｔ４０は、
Ｔ４０＝Ｔ２＋Ｌ１Ｃ／ＶＣ
となるが、このまま搬出すると搬送コンベヤ３に搬出されて乾海苔が重なるので、待機コンベヤ４の駆動を一旦停止させる。停止時間Ｔ４は、
Ｔ４＝Ｔ１０−Ｔ４０ 
＝｛Ｔ１＋（Ｌ１Ｂ−Ｌ０）／ＶＢ＋Ｌ１Ｂ／ＶＢ｝−（Ｔ２＋Ｌ１Ｃ／ＶＣ）
＝（Ｔ１−Ｔ２）＋（Ｌ１Ｂ−Ｌ０）／ＶＢ＋Ｌ１Ｂ／ＶＢ−Ｌ１Ｃ／ＶＣ
となる。ここで、
Ｔ０＋Ｔ２＞Ｔ４０＋Ｔ４＝Ｔ４０＋（Ｔ１０−Ｔ４０）＝Ｔ１０
となり、待機コンベヤをＴ４０で停止させ、Ｔ４後に再始動させると、搬送コンベヤに乾海苔が重ならずに合流させることができる。
【実施例２】
【００３３】
図４は本発明の別実施例を示す図である。本実施例は待機コンベヤを補助的手段により停止させるものである。
【００３４】
待機コンベヤ４は待機コンベヤ４の搬出口に乾海苔Ｎ２の先頭が到着する時間Ｔ４０で停止するように設定されているが、待機コンベヤ４を駆動するモータの回転の変動により先頭の乾海苔Ｎ２が定位置で停止しないおそれも考えられる。そこで、待機コンベヤ４の出口付近にセンサ４ａを設置し、待機コンベヤ４で搬送される乾海苔群Ｎ１の先頭を検知して待機コンベヤを確実に停止させる。停止して、Ｔ４後に再始動させる。
【００３５】
また、搬送コンベヤ３の合流点Ｘより下流付近にセンサ３ａを設置し、搬送コンベヤ３上を搬送される乾海苔群Ｎ１の最後尾を感知して待機コンベヤを再起動することもできる。
【図面の簡単な説明】
【００３６】
【図１】（ａ）は本発明の乾海苔搬送装置を組み込んだ海苔生産ラインを示す模式図、（ｂ）は海苔乾燥装置の２基の搬出コンベヤと搬送コンベヤの接続部分の模式図である。
【図２】（ａ）は本発明の乾海苔搬送装置の平面図、（ｂ）は正面図である。
【図３】搬送される乾海苔が重ならないための条件についての説明図である。
【図４】本発明の別実施例を示す図である。
【図５】従来の２基の搬出コンベヤにより乾海苔が搬出される海苔生産ラインを示す模式図である。
【図６】２基の搬出コンベヤと１基の搬送コンベヤを接続して乾海苔を搬送する場合を想定した状態を示す図である。
【符号の説明】
【００３７】
１：乾燥装置
２ａ：第１の搬出コンベヤ
２ｂ：第２の搬出コンベヤ
３：搬送コンベヤ
３ａ：センサ
４：待機コンベヤ
４ａ：センサ
５：検査機
６：折曲機
７：結束機
８：受け渡し装置
８ａ：ベルトコンベヤ
８ｂ：ドラム
９：受け渡し装置
９ａ：ベルトコンベヤ
９ｂ：ドラム
９ｃ：エレベータ
【図１】
2005239425.tif 000003
【図２】
2005239425.tif 000004
【図３】
2005239425.tif 000005
【図４】
2005239425.tif 000006
【図５】
2005239425.tif 000007
【図６】
2005239425.tif 000008